(57)【要約】  通信装置は、第１格納部材（１００）および第２格納部材（２００）を有し、それらは、異なる操作姿勢が取れるように、第２格納部材に関して、第１格納部材が、回転可能であると共に、折りたたみ可能であるように機構的に相互に接続されている。通信装置は、ディスプレイ（１１０）と手動入力手段（１２０、２２０）を含むユーザーインタフェース（３３４）と、ユーザーインタフェースを介してユーザーにサービス（３４０−３４６）を提供するための処理装置（３００）を有し、ディスプレイは、第１格納部材内に位置する。手動入力手段は、第１格納部材（１００）に備えられた第１キーセット（１２０）と、第２格納部材（２００）に備えられた第２キーセット（２２０）を備え、複数のサービス（３４０−３４６）が第１キーセットを介してユーザーにより制御可能である。
2007516628.tif 000002
【特許請求の範囲】
【請求項１】
第１格納部材（１００）と第２格納部材（２００）を備え、異なる操作姿勢が取れるように、前記第１格納部材が、前記第２格納部材に関して回転可能であると共に折りたたみ可能なように機構的に相互接続された前記第１格納部材と前記第２格納部材を備える通信装置（１）であって、前記通信装置は、ディスプレイ（１１０）と手動入力手段（１２０、２２０）を含むユーザーインタフェース（３３４）と、前記ユーザーインタフェースを介してユーザーにサービス（３４０−３４６）を提供する処理装置（３００）を有し、前記ディスプレイは、前記第１格納部材内に位置する、通信装置であって、
前記手動入力手段は、前記第１格納部材（１００）内に備えられた第１キーセット（１２０）と、前記第２格納部材内に備えられた第２キーセット（２２０）とを備え、前記複数のサービス（３４０−３４６）は、前記第１キーセットを介して、前記ユーザーにより制御可能であり、
前記操作姿勢は、前記第１格納部材（１００）が、前記第２格納部材（２００）に対して折りたたまれた、コンパクト姿勢を含み、前記第１キーセット（１２０）および前記ディスプレイ（１１０）は、前記コンパクト姿勢において、前記ユーザーによりアクセス可能であり、前記複数の前記サービス（３４０−３４６）は、前記コンパクト姿勢において、前記ユーザーにより制御可能であり、
前記操作姿勢は、前記第１格納部材（１００）が、前記第２格納部材（２００）から開かれた、オープン姿勢を含み、前記第２キーセット（２２０）と共に、前記第１キーセット（１２０）と前記ディスプレイ（１１０）は、前記オープン姿勢において、前記ユーザーによりアクセス可能であり、前記複数の前記サービス（３４０−３４６）は、前記オープン姿勢において、前記ユーザーにより制御可能であることを特徴とする通信装置。
【請求項２】
前記第１キーセット（１２０）と、前記ディスプレイは、実質的に同じ面に配設される請求項１に記載の通信装置。
【請求項３】
前記同じ面は、前記第１格納部材（１００）の前面（１００ａ）と一致する、または平行である請求項２に記載の通信装置。
【請求項４】
音声通信を、通話の形態で行うための電話アプリケーションが、前記複数の前記サービス（３４０−３４６）に含まれる請求項１から３のいずれか１項に記載の通信装置。
【請求項５】
前記複数の前記サービス（３４０−３４６）が、下記のグループ：
通話の形態による音声通信を行うための電話アプリケーション
インターネットブラウザアプリケーション（３４０）
ＷＷＷブラウザアプリケーション
ＷＡＰブラウザアプリケーション
電話帳アプリケーション（３４２）
連絡アプリケーション
カメラアプリケーション（３４４）
画像録画アプリケーション
ビデオ録画アプリケーション
メッセージ送受信アプリケーション（３４６）
Ｅメールアプリケーション
ＳＭＳアプリケーション
ＭＭＳアプリケーション
カレンダーアプリケーション
オーガナイザーアプリケーション
ビデオゲームアプリケーション
計算機アプリケーション
音声メモアプリケーション
アラームクロックアプリケーション
ワードプロセシングアプリケーション
コードメモリアプリケーション
音楽プレーヤーアプリケーション
メディアストリーミングアプリケーション
コントロールパネルアプリケーション
から選択された少なくとも二つのサービスを含む請求項１から４のいずれか１項に記載の通信装置。
【請求項６】
更にカメラ（２０５）を備え、前記操作姿勢は、前記第１格納部材（１００）が、前記第２格納部材（２００）に関して、回転されるとともに開かれた、カムコーダー姿勢を含み、前記第１キーセット（１２０）と、前記ディスプレイ（１１０）は、前記カムコーダー姿勢において、前記ユーザーによりアクセス可能であり、前記サービス（３４０−３４６）の中のカメラアプリケーションは、前記カムコーダー姿勢において、前記ユーザーにより制御可能である請求項１から５のいずれか１項に記載の通信装置。
【請求項７】
前記操作姿勢は、前記第１格納部材（１００）が、前記第２格納部材（２００）に関して開かれ、前記カムコーダー姿勢に関して、実質的に１８０度回転された、自画像姿勢を含み、前記第１キーセット（１２０）と前記ディスプレイ（１１０）は、前記自画像姿勢において、前記ユーザーによりアクセス可能であり、前記サービス（３４０−３４６）の中のカメラアプリケーション（３４４）は、前記自画像姿勢において、前記ユーザーにより制御可能である請求項６に記載の通信装置。
【請求項８】
前記第１キーセット（１２０）は、機能が、前記ユーザーインタフェース（３３４）を介して現在制御可能な前記複数の前記サービス（３４０−３４６）の起動中の一つに依存する、少なくとも一つの文脈依存キー（１２２、１２３）を備える請求項１から７のいずれか１項に記載の通信装置。
【請求項９】
前記第１キーセット（１２０）は、前記ユーザーインタフェース（３３４）において、多方向のナビゲーションおよび選択動作のための少なくとも一つのナビゲーションキー（１２１）を備える請求項１から８のいずれか１項に記載の通信装置。
【請求項１０】
前記第２キーセット（２２０）は、電話タイプ（ＰＩＮ、ＩＴ−Ｕ）のキーパッドを構成し、０から９までの数字キーを含むキー群を含む請求項１から９のいずれか１項に記載の通信装置。
【請求項１１】
ＧＳＭ、Ｄ−ＡＭＰＳ、ＣＤＭＡ２０００、またはＵＭＴＳのような移動電気通信システム用の移動端末の形態である請求項１から１０のいずれか１項に記載の通信装置。
【請求項１２】
第１格納部材（１００）と、第２格納部材（２００）と、前記第１および第２格納部材をお互いに回転可能に接続する第１ちょうつがい機能と、前記第１および第２格納部材の一つを、他の格納部材に関して回転可能にする第２ちょうつがい機能を有するちょうつがいアセンブリ（１０、１１）を備える通信装置（１）であって、
前記第１格納部材（１００）は、ディスプレイ（１１０）と前記通信装置（１）を操作するためのキーセット（１２０）を備え、前記ちょうつがいアセンブリ（１０、１１）は、前記第１および第２格納部材（１００、２００）が、前記第１および第２格納部材がお互いから開かれたオープン姿勢と共に、前記第１および第２格納部材がお互いに対して折りたたまれた、第１および第２クローズ姿勢を取ることを可能にする通信装置であって、
前記第１クローズ姿勢において、前記第１格納部材の前記ディスプレイと前記キーセット（１２０）は、前記第２格納部材の方を向き、
前記オープン姿勢と共に、前記第２クローズ姿勢において、前記第１格納部材の前記ディスプレイと前記キーセット（１２０）は露出され、ユーザーが前記通信装置を操作できることを特長とする通信装置。
【請求項１３】
前記通信装置により提供される複数のサービス（３４０−３４６）は、前記第２クローズ姿勢において、前記キーセット（１２０）を介して制御可能である請求項１２に記載の通信装置。
【請求項１４】
前記複数のサービス（３４０−３４６）は、通話の形態の音声通信を含む請求項１３に記載の通信装置。
【請求項１５】
前記キーセット（１２０）は、機能が、前記複数の前記サービス（３４０−３４６）の起動中の一つに依存する、少なくとも一つの文脈依存キー（１２２、１２３）を備える請求項１３または１４に記載の通信装置。
【請求項１６】
前記キーセット（１２０）は、前記複数のサービス（３４０−３４６）の起動中の一つにおいて、多方向のナビゲーションおよび選択動作のための少なくとも一つのナビゲーションキー（１２１）を備える請求項１３から１５のいずれか１項に記載の通信装置。
【請求項１７】
ＧＳＭ、Ｄ−ＡＭＰＳ、ＣＤＭＡ２０００、またはＵＭＴＳのような移動電気通信システム用の移動端末の形態である請求項１２から１６のいずれか１項に記載の通信装置。
【発明の詳細な説明】
【技術分野】
【０００１】
発明の分野
本発明は、移動電気通信分野に関する。特に、本発明は、第１格納部材と第２格納部材を備え、第１格納部材が、第２格納部材に関して回転可能であると共に折りたたみ可能なように機構的に相互接続されている通信装置に関する。
【背景技術】
【０００２】
発明の背景
上記に係る通信装置の一般的な例は、ＧＳＭ、Ｄ−ＡＭＰＳ、ＣＤＭＡ２０００、またはＵＭＴＳのような既存の移動電気通信システムのための移動端末である。従来、移動端末のデザインは、ディスプレイ、キーパッド、アンテナ、マイクロフォン、スピーカー、バッテリー、および種々の電子回路を含む、移動端末のすべての構成要素を含む単一の装置格納部材に基づくことがしばしばであった。そのようなデザインは、よく「単一ブロック」と呼ばれている。
【０００３】
移動端末の分野における一つの傾向は、数十年前に移動端末が登場して以来の、移動端末の物理的サイズおよび重量の連続的な縮小という意味での小型化である。他の傾向は、移動端末の増大かつ拡大された機能であり、移動端末はもはや、単なる個人同士の音声通信のツールというわけではなくなり、メッセージ送受信（ＳＭＳ、Ｅメール、ＭＭＳ）、カレンダー、電話帳、静止およびビデオ画像撮影（カメラ）、インターネット閲覧（ＷＡＰ、ＷＷＷ）、ビデオゲームなどのようなサービスを更に提供する。
【０００４】
上記の傾向に従って、折りたたみ可能な、つまり、一つの格納部材が、他の格納部材に対して、回転可能なようにちょうつがいが付けられ、それによって使用しないときは、移動端末はクローズ姿勢に折りたたまれ、その状態においては、画面および／またはキーパッドは保護され、移動端末はわずかな物理的空間しか占有せず、また、移動端末は、活動的な使用に適応したオープン姿勢に開かれ、ユーザーは画面とキーパッドにアクセス可能となるような移動端末の多くのモデルが知られている。米国特許第５、９２３、７５１号は、従来技術による折りたたみ可能な移動端末の例を記載している。更に、二つの格納部材が、折りたたみ可能にではなく、回転可能に相互接続された移動端末も知られているが、その全体的な原理は、折りたたみ可能な移動端末と類似している。そのような移動端末の一例は、米国特許第５、４８５、５１７号にある。
【０００５】
更に最近になって、内蔵カメラ機能付き移動端末に人気が出てきた。そのような移動端末のカメラは、ユーザーに画像および／またはビデオ録画機能を提供できる。更に、もっと最近になって、第１格納部材を第２格納部材に結合する二軸ちょうつがいアセンブリを介して、折りたたみ可能であるばかりでなく、回転可能に相互接続された第１格納部材と第２格納部材を有する、カムコーダータイプの移動端末が登場した。一般的に、第１格納部材は大きなディスプレイを備え、第２格納部材は、矢印キー、四／五方向ナビゲーションキー、ソフトキーなどのグラフィカルユーザーインタフェースを制御する付加的キーと共に、０から９、＊、＃、応答／ＹＥＳ、切る／ＮＯ、およびクリアのような従来のテレフォンキーを含むキーバッドを備える。カメラのレンズは通常、第２格納部材か、二軸ちょうつがいに位置している。二軸ちょうつがいの配設により、ユーザーは移動端末を、音声通信、メッセージ送受信、インターネット閲覧などための通常の折りたたみ可能端末（「フリップテレフォン」）として使用でき、また移動端末を画像またはビデオの録画用に使用するときは、第１格納部材を（そのディスプレイと共に）、第２格納部材に関して、都合のよい角度を有する姿勢状態に回転することもできる。ユーザーはまた、使用しないときは、都合のよい格納のために、第１および第２格納部材を一緒に折りたたむことにより、移動端末を閉じることもできる。
【０００６】
既知の折りたたみ可能および回転可能な移動端末の中には、従来の折りたたみ可能端末の場合のように、ディスプレイも一緒に内側に向けてクローズ姿勢に折りたたむのではなくではなく、移動端末がそのクローズ／折りたたまれた姿勢となったときでも、ディスプレイが見えるように、外側に向けたままでも可能なものもある。このようにして、ユーザーは、例えば、現在の日付または時間、現在のバッテリーチャージレベル、着信メッセージの通知、または着信コールの電話番号（電話帳にその電話番号があれば、その電話番号に関連付けられた呼び出し人の名前さえも）読み取るために、移動端末をモニターする機会が与えられる。しかし、移動端末により提供されるサービスの大半を使用するには、ユーザーは、キーパッドを搭載した格納部材を、キーパッドにアクセス可能な姿勢に回転するために端末を開放／オープンしなくてはならなくなる。従って、ユーザーが電話をかけたいとき、インターネット閲覧を始めたいとき、メッセージを書いて送りたいとき、ビデオゲームをしたいとき、カレンダーにアクセスしたいときなどは、彼または彼女は、そのようなオープン／開放／回転のような動作をまずしないことには、上記のことができない。手動が介在するそのような義務的なステップは、多くのユーザーにとっては不便と思われている。
【発明の開示】
【発明が解決しようとする課題】
【０００７】
上記のために、本発明の目的は、上記に検討された問題を解決または少なくとも削減することである。特に、その目的は、折りたたみ可能および回転可能な通信装置（例えば、移動端末）を提供し、それによりユーザーが、異なる操作姿勢を第１および第２格納手段をお互いに関して回転して選択し、これらの操作姿勢の多くにおける通信装置のサービスまたはアプリケーションを使用するときに、ユーザーに多大な柔軟性を提供することである。より特別にはその目的は、種々の折りたたまれていない／オープンされた、および回転された操作姿勢だけでなく、折りたたまれた、コンパクトな姿勢において使用でき、具体的には、折りたたまれた、コンパクトな姿勢においてもユーザーが複数のサービスにアクセス可能なように使用できる通信装置を提供することである。
【課題を解決するための手段】
【０００８】
一般的に、上記の目的は、添付された独立特許請求項に記載の通信装置により達成される。
【０００９】
本発明の第１態様は、第１格納手段および第２格納手段を備える通信装置であって、異なる操作姿勢が取れるように、第１格納手段が、第２格納手段に関して回転可能であると共に折りたたみ可能なように機構的に相互接続されており、通信装置は、ディスプレイおよび手動入力手段を含むユーザーインタフェース、およびユーザーインタフェースを介してユーザーにサービスを提供する処理装置を有し、ディスプレイは第１格納手段内に位置する。手動入力手段は、第１格納手段に備えられた第１キーセットと、第２格納手段に備えられた第２キーセットを備え、複数のサービスは、第１キーセットを介して、ユーザーにより制御可能である。
【００１０】
そのような通信装置の有利な点は、ユーザーが通信装置を、折りたたまれた、コンパクトな姿勢で、または複数の拡張された（開かれたおよび／または回転された）姿勢のいずれかにおいて使用するのかを、いかなる特別な時間においても決定できるということである。ディスプレイとして、同じ格納部材（第１格納手段）上に第１キーセットを設けたことにより、通信装置を、コンパクト姿勢においても複数のサービスに対しても使用できる。
【００１１】
通信装置が、ＧＳＭ、Ｄ−ＡＭＰＳ、ＣＤＭＡ２０００、またはＵＭＴＳのような移動電気通信システムに対する通信装置であると有利である。このようにして、通話の形態における音声通信を実行するための電話アプリケーションを、複数のサービスに含めることもできる。複数のサービスが、下記のグループから選択された少なくとも二つのサービスを備えると、更に有利である。
【００１２】
通話の形態による音声通信を行うための電話アプリケーション
インターネットブラウザアプリケーション（３４０）
ＷＷＷブラウザアプリケーション
ＷＡＰブラウザアプリケーション
電話帳アプリケーション（３４２）
連絡アプリケーション
カメラアプリケーション（３４４）
画像録画アプリケーション
ビデオ録画アプリケーション
メッセージ送受信アプリケーション（３４６）
Ｅメールアプリケーション
ＳＭＳアプリケーション
ＭＭＳアプリケーション
カレンダーアプリケーション
オーガナイザーアプリケーション
ビデオゲームアプリケーション
計算機アプリケーション
音声メモアプリケーション
アラームクロックアプリケーション
ワードプロセシングアプリケーション
コードメモリアプリケーション
音楽プレーヤーアプリケーション
メディアストリーミングアプリケーション
コントロールパネルアプリケーション
操作姿勢は、第１格納部材が、第２格納部材に対して折りたたまれたコンパクト姿勢を含むことができ、第１キーセットとディスプレイは、コンパクト姿勢においてユーザーがアクセス可能で、複数のサービスは、コンパクト姿勢においてユーザーが制御可能である。
【００１３】
第１キーセットとディスプレイは、実質的に同じ面に配設されると有利である。この同じ面は、第１格納部材の前面と一致、または平行であってよい。
【００１４】
操作姿勢は、第１格納部材が第２格納部材から開かれたオープン姿勢を含むことができ、第２キーセットと共に、第１キーセットとディスプレイは、オープン姿勢において、ユーザーによりアクセス可能であり、複数のサービスは、オープン姿勢においてユーザーにより制御可能である。
【００１５】
通信装置はカメラを備えると有利であり、操作姿勢は、第１格納部材が、第２格納部材に関して回転されると共に開かれたカムコーダー姿勢を含むことができ、第１キーセットとディスプレイは、カムコーダー姿勢において、ユーザーによりアクセス可能であり、サービスの中のカメラアプリケーションは、カムコーダー姿勢においてユーザーにより制御可能である。更に、操作姿勢は、第１格納部材が、第２格納部材に関して開かれ、カムコーダー姿勢に関して、実質的に１８０度回転された自画像姿勢を含むことができ、第１キーセットとディスプレイは、自画像姿勢においてユーザーによりアクセス可能であり、カメラアプリケーションは、自画像姿勢においてユーザーにより制御可能である。
【００１６】
第１キーセットは、機能が、ユーザーインタフェースを介して現在制御可能な複数のサービスの起動中の一つに依存する、少なくとも一つの文脈依存キーを備えると有利である。第１キーセットは、ユーザーインタフェースにおいて、多方向のナビゲーションおよび選択動作のための少なくとも一つのナビゲーションキーを備えることができる。
【００１７】
第２キーセットは、電話タイプ（ＰＩＮ、ＩＴ−Ｕ）のキーパッドを構成し、０から９までの数字キーを含むキー群を含むことができる。
【００１８】
本発明の第２態様は、第１格納部材と、第２格納部材と、第１および第２格納部材をお互いに回転可能に接続する第１ちょうつがいアセンブリと、第１および第２格納部材の一つを、他の格納部材に関して回転可能にする第２ちょうつがい機能を有するちょうつがいアセンブリを備える通信装置である。第１格納部材は、ディスプレイと通信装置を操作するためのキーセットを備え、ちょうつがいアセンブリは、第１および第２格納部材が、第１および第２クローズ姿勢を取ることを可能にする。第１クローズ姿勢において、第１格納部材のディスプレイとキーセットは、第２格納部材の方を向いているが、第２クローズ姿勢においては、第１格納部材のディスプレイとキーセットは露出され、ユーザーによる通信装置の操作を可能にする。
【００１９】
通信装置により提供される複数のサービスは、第２クローズ姿勢において、キーセットを介して制御可能である。複数のサービスは、通話の形態の音声通信を含むことができる。
【００２０】
キーセットは、機能が、複数のサービスの起動中の一つに依存する、少なくとも一つの文脈依存キーを備えることができる。キーセットは、複数のサービスの起動中の一つにおいて、多方向のナビゲーションおよび選択動作のための少なくとも一つのナビゲーションキーを更に備えることもできる。
【００２１】
第２態様に係る通信装置は、ＧＳＭ、Ｄ−ＡＭＰＳ、ＣＤＭＡ２０００、またはＵＭＴＳのような移動電気通信システム用の移動端末であってよい。
【００２２】
本発明の第２態様は、本発明の第１態様とおおよそ同じ目的、特徴、および有利さを有する。本発明の他の目的、特徴、および有利さは、下記の詳細な開示、および添付図と共に、添付の独立請求項により明確になるであろう。
【発明を実施するための最良の形態】
【００２３】
本発明の良好な実施形態は、ここに含まれる図を参照して、更に詳細に記述される。
発明の詳細な説明
図１ａ／１ｂから図５ａ／５ｂから分かるように、良好な実施形態に係る移動端末１は、第１格納部材１００と第２格納部材２００を備える。第１および第２格納部材１００、２００は、二軸のちょうつがいアセンブリ１０、１１を介して相互接続され、第１および第２格納部材がお互いに関して、ちょうつがい１０の縦方向の延長線と実質的に一致する第１軸の周りと、第１軸に直交し、ちょうつがいアセンブリの中心部分１１を通る、第１格納部材の縦方向の中心軸と実質的に一致する第２軸の周りを回転できるようになっている。この配置のため、移動端末１は、第１および第２格納部材１００、２００が、お互いに関して折りたたまれたおよび／または回転された、異なる操作姿勢を取ることができる。
【００２４】
図から分かるが、移動端末１は、第１格納部材１００の前面１００ａに位置するディスプレイ１１０を備える。ディスプレイ１１０は、高解像度のカラーＬＣＤディスプレイであると有利である。ディスプレイの下で、第１格納部材１００の前面には、第１キーセット（キーパッド）１２０が設けられている。図２ｃからより明確に分かるが、第１キーセット１２０は、五方向ナビゲーションキー１２１を備え、それにより、ユーザーは、ディスプレイ１１０上に示されたユーザーインタフェースにおいて、ナビゲーションキー１２１の中心部および／または周辺の縁部を押すことにより、操作を選択すると共に、異なる四方向に進むことができる。
【００２５】
第１キーセット１２０は、左右機能キー、またはソフトキー１２２、１２３も備え、それ自身よく知られているように、現在作動可能で、ディスプレイ１１０の制御下にあるアプリケーションまたはサービスにおいて、ディスプレイ１１０の底部に示された種々の機能を実行する。例えば、メッセージ送受信アプリケーションのメインメニュー画面では、左機能キー１２２は、利用できる「オプション」を表わし、右機能キー１２２は、メッセージ送受信アプリケーションの「終了」を表わすことができる。ディスプレイ１１０は、キー１２２の真上の左下隅に、テキスト「オプション」を表示し、キー１２３の真上の右下隅に、テキスト「終了（Ｅｘｉｔ）」を表示する。キー１２２を押して、オプションの選択肢が選択されると、オプションのリスト、例えば、「ＳＭＳ新規作成」、「ＭＭＳ新規作成」、「Ｅメール新規作成」、「設定」、および「ヘルプ」などが、ディスプレイ１２０上に表示される。このリストが表示されると、キー１２２と１２３の機能は、「選択（Ｓｅｌｅｃｔ）」と「中止（Ｃａｎｃｅｌ）」に変わる。このように表示されたオプションのいずれかが選択されると、キー１２２と１２３の機能は再び変わる。
【００２６】
クリアキー１２４は、バックスペース、エスケープなどのような動作を指示するように機能する。アプリケーションキー１２５により、ユーザーは、メニューに基づくメインアプリケーションメニューのアプリケーションと項目を切り替えることができる。アルファキー１２６は、アプリケーションによっては、辞書を変更して、複数の選択動作を実行するのに使用される。
【００２７】
第１格納部材１００は、オン／オフキー１０１とスピーカー１０２も有している。
【００２８】
第２格納部材２００には、前面２００ａに第２キーセット（キーパッド）２２０が設けられる。図３ｃからより明確に分かるように、第２キーセット２２０は、「応答／ＹＥＳ」キー、「切る／ＮＯ」キー、０から９までの数字キー、および＊と＃を含む、手動ダイヤルに特に適したキーの集合を備える。第２格納部材２００の第１側面は、ボリュームアップおよびダウンキー２０１を、移動電気通信ネットワークにおける中間局を使用しないで、他の移動端末と直接ウォーキートーキータイプの通信のために移動端末１を使用することができる、プッシュトゥートークキー２０２と共に備える。
【００２９】
第２格納部材の反対側の側面には、カメラ２０５のレンズが設けられている。カメラ２０５は、デジタル画像および／またはビデオ録画が可能で、ＣＭＯＳセンサまたはＣＣＤセンサを含む、適切な光学および電子素子を備える。第２格納部材２００の底面は、付属品端末２０３および充電端子２０４を有する。バッテリー蓋２０６は、第２格納部材の裏面に設けられる。
【００３０】
図３は、移動端末１の内部構造を示す。コントローラ３００は、移動端末の全体操作に対しての責任を有し、好ましくは、市場で入手可能なＣＰＵ（「中央演算装置」）、ＤＳＰ（「デジタル信号プロセッサ」）または他の電子プログラム可能論理装置のいずれかにより構成される。コントローラ３００は、ＲＡＭメモリ、ＲＯＭメモリ、ＥＥＰＲＯＭメモリ、フラッシュメモリ、またはそれらのいずれかの組み合わせのような、関連付けられた電子メモリを有する。メモリ３０２は、コントローラ３００による種々の目的のために使用され、その一つは、移動端末における種々のソフトウェアに対するデータおよびプログラム指令を格納することである。ソフトウェアは、ユーザーに個々の異なったサービスを提供する種々のアプリケーションと共に、リアルタイムオペレーティングシステム３２０、メニューに基づくユーザーインタフェースを提供するマンマシンインタフェース（ＭＭＩ）、アプリケーションハンドラ３３２を含む。アプリケーションは、ここでは詳細には触れないが、カレンダー／オーガナイザー、ビデオゲーム、計算機などのような種々の他のアプリケーションと共に、インターネット（ＷＷＷ、ＷＡＰ）ブラウザ３４０、電話帳（連絡）アプリケーション３４２、カメラ／画像アプリケーション３４６を備える。いうまでもなく、アプリケーションは、専用または公衆交換電話ネットワークにおける他の移動端末や端末のユーザーへの通話の形式による音声通信を行う電話アプリケーションも含む。電話アプリケーションは、電話帳アプリケーション３４２に統合するか、または分離したアプリケーションに統合することができる。
【００３１】
ＭＭＴ３３４は、Ｉ／Ｏドライバ３０５を介して、カメラ２０５、マイクロフォン／スピーカー３０３（１０２）、ＬＥＤコールインジケータ、バイブレータ、リングトーン／コールアラート信号生成器などの、種々の他のＩ／Ｏ装置と共に、ディスプレイ１１０と第１および第２キーセット（キーパッド）１２０と２２０を含む、複数の入力／出力（Ｉ／Ｏ）装置と共同作業を行う。一般的に知られていることであるが、ユーザーは、このように形成されたマンマシンインタフェース３３４を介して、移動端末１を操作し、その種々のアプリケーションを制御することができる。
【００３２】
ソフトウェアは、種々のモジュール、プロトコルスタック、ドライバなども備え、それらは、共通に３３０と示され、ＲＦインタフェース３０６に対して、オプションとしては、ブルートゥースインタフェース３０８およびＩｒＤＡインタフェース３１０に対して、通信サービス（トランスポート、ネットワーク、および接続性）を提供する。ＲＦインタフェース３０６は、移動電気通信システムにおいて、ベース局への無線リンクを確立して維持するための適切な無線回路と共に、内部または外部アンテナを備える。この技術に精通した者にはよく知られていることであるが、無線回路は、無線受信機および送信機を共に形成する、一連のアナログおよびデジタル電子素子を備える。これらの素子は、例えば、バンドパスフィルタ、増幅器、ミキサー、ローカルオシレータ、ローパスフィルタ、ＡＤ／ＤＡ変換器などを含む。
【００３３】
バッテリー３０１は、バッテリー蓋２０６に裏に設けられる。移動端末１は、ＳＩＭカード３０４と、関連する読取り器も有する。一般に知られているが、ＳＩＭカード３０４は、ローカルワークおよびデータメモリと共に、プロセッサを備える。
【００３４】
移動端末１の異なる操作姿勢を、更に詳細に説明する。
クローズ姿勢
第１操作姿勢は、図１ａと図１ｂに示すように、クローズ姿勢であり、第１および第２格納部材は、お互いに対してクローズ姿勢に折りたたまれている。クローズ姿勢は、この姿勢は、物理的空間をわずかしか占有せず、ディスプレイ１１０とキーパッド１２０／２２０を外部力から保護するので、使用しないときには特に適している。クローズ姿勢においては、ディスプレイ１１０は、電力保存のためにオフにされる。更に、もっと電力を節約するために、移動端末１の内部素子のいくつをオフにするか、低電力モードにすることができる。都合のよいことに、そのような省電力は、コントローラ３００、メモリ３０２、ＲＦ素子３０６、ブルートゥース素子３０８、ＩＲＤＡ素子３１０、およびカメラ素子２０５に対して行うことができる。クローズ姿勢では、移動端末１がオンのままだと、もちろん着信コールを受けることができるが、この技術ではよく知られた、コールアラート信号（リング信号、メロディなど）などにより、聴覚的にと共に、ＬＥＤコールインジケータにより視覚的にも示すことができる。ボリュームダウンキー２０１を長押しすると、着信コールに対するコールアラート信号の音を消すことができる。更に、付属品コネクタ２０３により、クローズ姿勢において、移動端末１に付属品を接続できる。移動端末１は充電端末２０４を介して充電することができる。
【００３５】
コンパクト姿勢
第２操作姿勢は、コンパクト姿勢であり、図２ａと図２ｂに示されている。図１ａと図１ｂと同様に、第１および第２格納部材１００、２００は、お互いに対して折りたたまれているが、ここでは、第１格納部材は、クローズ姿勢の姿勢と比較して、１８０度回転されている。前面１００ａは外側を向いており、ユーザーは、第１キーセット１２０と共に、ディスプレイ１１０に全面的にアクセスできる。このように、コンパクト姿勢は、クローズ姿勢と同様にわずかな物理的空間しか占有しないが、前面１００ａにおいて、ディスプレイ１１０に下に第１キーセット１２０が設けられているので、図２ａと図２ｂに示すように第２キーセットにアクセスできなくても、移動端末のサービス３４０−３４６に、ユーザーはアクセス可能である。特に、現在アクティブなアプリケーションまたはそのアプリケーションにおけるサブルーチンに依存して、有効機能が動的に割り付けられ機能キー１２２と１２３、および多方向のナビゲーションと、マンマシンインタフェース３３４において動作選択を可能にするナビゲーションキー１２１により、ユーザーは、サービス３４０−３４６に全面的にアクセスが可能で、その制御が可能である。
【００３６】
例えば、ユーザーは、インターネットブラウザ３４０でインターネットを閲覧でき、メッセージ送受信アプリケーション３４６によりメッセージを書いたり読んだりでき、または、電話帳アプリケーション３４２により外に向けた発信コールを作成することができ、または、場合によっては、オプションにより、手動入力ではなく、音声起動ダイヤリングにより、電話アプリケーションを分離することもできる。ユーザーはまた、好ましくは、着信コールの検出と同時に「応答（Ａｎｓｗｅｒ）」機能が割り付けられる左機能キー１２２を押すことにより、着信電話コールを受け、その電話に出ることができる。ユーザーは、カメラ／画像アプリケーション３４４により、画像またはビデオを録画することもできる。
オープン姿勢
第３操作姿勢は、オープン（開いた）姿勢であり、図３ａと図３ｂに示されている。ここでは、第１および第２格納部材１００、２００は、お互いから開かれて、折りたたみ可能（フリップ）端末の通常の操作姿勢に類似の姿勢になる。このように、この姿勢においては、第１および第２キーセット１２０、２２０の両者にユーザーはアクセス可能となる。コンパクト姿勢において利用可能なすべてのサービスは、オープン姿勢でも利用可能であり、更にユーザーは、第２キーセットを有利に利用できる。例えば、これらのキーにより、電話アプリケーション（新しい電話番号をダイヤルするとき）または計算機アプリケーションにおける数字の入力を容易にしたり、メッセージ送受信アプリケーションまたはワードプロセッシングアプリケーションにおいて、テキストの入力を容易にしたり、またはビデオゲームアプリケーションにおいて制御キーとして機能したりする。更に、「応答／ＹＥＳ」および「切る／ＮＯ」キーは、通話を開始、終了、および拒絶するために便利に使用できる。
【００３７】
ユーザーが端末１をそのオープン姿勢に切り替えると（例えば、コンパクト姿勢またはクローズ姿勢から）、端末は、マンマシンインタフェース３３４において自動的にプロフィールを変更（例えば、コールアラーと信号、ディスプレイ背景パターン／色を変更）し、ディスプレイをオンし、自動的に着信コールなどに応答するように適合させることができる。同様な動作が、端末１がそのオープン姿勢から切り替えられたときに行うことができる。
カムコーダー姿勢
第４操作姿勢は、カムコーダー姿勢であり、図４ａと図４ｂに示されている。ここでは、第１および第２格納部材１００、２００はお互いに対して約９０度の角度で開いている。更に、第１格納部材１００は、オープン姿勢のおける位置と比較して、第２格納部材（２００）に関して、約９０度回転されている。第１キーセット１２０と第２キーセット２２０の両者は、アクセス可能で、アプリケーションに依存して使用できる。
【００３８】
カムコーダー姿勢は、カメラ／画像アプリケーション３４４に対しては、特に有効で、ユーザーが、ディスプレイを録画モニターのように便利に使用しながら画像またはビデオを録画するのを可能にする。図４ａと図４ｂから分かるように、ディスプレイ１１０は一つの方向、つまりユーザーの方を向いており、カメラ２０５は反対方向、つまりユーザーから離れる方向、つまり、録画する目標対象物の方を向いている。第２格納部材２００の側面にあるボリュームアップおよびダウンキー２０１を、画像またはビデオ録画中に、ズームインおよびズームアウト（カメラ２０５の機能に依存するデジタルおよび／または光学ズーム）のために使用することができる。プッシュトゥートークキー２０２を、録画を開始および終了するために使用できる。更に、第１キーセット１２０もまた、カメラ／画像アプリケーション３４４で使用できる。例えば、ナビゲーションキー１２１を、例えば、画像が拡大されていて、その全ての部分を同時にディスプレイに表示できないときに、記録画像中においてパンまたはスクロールを実行し、画像またはビデオ録画および処理に関連する種々の設定オプション（解像度、色の濃さ、輝度、飽和など）を選択するときなどに使用できる。機能キー１２２、１２３は、例えば、カメラ／画像アプリケーション３４４に共通して使用される動作を表現してもよい。
【００３９】
移動端末１を、カムコーダー姿勢になったときに自動的にカメラ／画像アプリケーションを開始するように適応させることもできる。
自画像姿勢
第５操作姿勢は、自画像姿勢であり、図５ａと図５ｂに示されている。ここでは、第１および第２格納部材１００、２００は、カムコーダー姿勢のように、お互いから開かれている。しかし、第１格納部材１００は、カムコーダー姿勢における位置に関して、約１８０度回転されている。このように、図４ａと図４ｂとは対照的に、ディスプレイ１１０およびカメラ２０５は、今度は、同じ方向、つまりユーザーの方に向いている。このように、図５ａと図５ｂで示された姿勢は、自分の画像（静止画）を、更には、彼／彼女自身により撮影されたユーザーのビデオを録画するときに特に適している。
【００４０】
キー２０１、２０２と、第１キーセット１２０は、カムコーダー姿勢と同様に、同じように使用することができる。
【００４１】
移動端末１は、カムコーダー姿勢から自画像姿勢に移ったときに、またはその逆のときに、ディスプレイ１１０上に表示された画像を、自動的に、垂直方向に（上下逆に）および水平方向にひっくり返して、表示された画像を、ユーザーが直感的に理解できるように適合させることができる。
【００４２】
本発明は、良好な実施形態を参照して主に記述してきた。しかし、この分野に精通した者には容易に理解されるように、上記以外の実施形態も、本発明の範囲内において、後に続く特許請求項により規定されるように、同様に可能である。例えば、異なる操作姿勢における、第１および第２格納部材１００、２００の間の正確な角度は重要ではなく、図に示された角度に制限されない。更に、異なる実施形態においては、第１格納部材を、第２格納部材に関して、１回転未満（つまり、＜３６０度）だけ回転可能であっても、または少なくとも１回転（つまり、≧３６０度）だけ回転可能でであってもよい。
【００４３】
ある実施形態、特に、上記の良好な実施形態に示されたものとは異なるように配設されたカメラを有する実施形態においては、コンパクト姿勢および／またはオープン姿勢を、カムコーダーおよび／または自画像機能として使用してもよい。
【図面の簡単な説明】
【００４４】
【図１ａ】クローズ姿勢における、良好な実施形態に係る移動端末を示しており、第１および第２格納部材が、お互いに対して折りたたまれて、ディスプレイは内側を向いており、特に、使用しないときに適している。
【図１ｂ】クローズ姿勢における、良好な実施形態に係る移動端末を示しており、第１および第２格納部材が、お互いに対して折りたたまれて、ディスプレイは内側を向いており、特に、使用しないときに適している。
【図２ａ】コンパクト／折りたたまれた姿勢における移動端末を示しており、第１および第２格納部材はお互いに折りたたまれているが、図１ａと図１ｂと比較して、１８０度回転されており、ディスプレイは、内側ではなく、外側を向いている。
【図２ｂ】コンパクト／折りたたまれた姿勢における移動端末を示しており、第１および第２格納部材はお互いに折りたたまれているが、図１ａと図１ｂと比較して、１８０度回転されており、ディスプレイは、内側ではなく、外側を向いている。
【図２ｃ】ディスプレイと第１キーセットの模式的前面図であり、図２ａと図２ｂに示す姿勢において、ユーザーはすべてにアクセス可能である。
【図３ａ】オープン／開かれた姿勢における移動端末を示しており、図２ａから図２ｃのディスプレイと第１キーセットだけでなく、第２キーセットもまた、アクセス可能である。
【図３ｂ】オープン／開かれた姿勢における移動端末を示しており、図２ａから図２ｃのディスプレイと第１キーセットだけでなく、第２キーセットもまた、アクセス可能である。
【図３ｃ】図３ａと図３ｂに示された第２キーセットの模式的正面図である。
【図４ａ】カムコーダー姿勢における移動端末を示しており、第１格納部材は、第２格納部材に関して、開かれている／オープンであるだけでなく、画像またはビデオの録画に便利な姿勢に回転されている。
【図４ｂ】カムコーダー姿勢における移動端末を示しており、第１格納部材は、第２格納部材に関して、開かれている／オープンであるだけでなく、画像またはビデオの録画に便利な姿勢に回転されている。
【図５ａ】図４ａと図４ｂに示されたものと同様な、自画像姿勢における移動端末を示しているが、第１格納部材は、図４ａと図４ｂに比較して、１８０度回転されており、それにより、この姿勢における移動端末は、自分のビデオまたは画像を録画するのに便利なように使用できる。
【図５ｂ】図４ａと図４ｂに示されたものと同様な、自画像姿勢における移動端末を示しているが、第１格納部材は、図４ａと図４ｂに比較して、１８０度回転されており、それにより、この姿勢における移動端末は、自分のビデオまたは画像を録画するのに便利なように使用できる。
【図６】移動端末のハードウェアとソフトウェア構造の模式図である。
2007516628.tif 000003
2007516628.tif 000004
2007516628.tif 000005
2007516628.tif 000006
2007516628.tif 000007
【図６】
2007516628.tif 000008
【国際調査報告】
2007516628.tif 000009
2007516628.tif 000010